(57)【要約】【課題】  風船の取付け、取外しを容易にして、イベント会場での設置や撤収が容易であり、且つ、配布準備された風船を美しく整列させ、更に会場でゴミ等を出さない為の用具を提供する事である。【解決手段】  適度な厚みの発泡樹脂板（１）に、風船の係止片を多数の切込部（３）を通して、発泡樹脂板の背面から多数の差込部（２）で風船の係止片を侠着するものである。【選択図】図１２
2007319641.tif 000002
【特許請求の範囲】
【請求項１】
適度な厚みの発泡樹脂板（１）に、風船の係止片を多数の切込部（３）を通して、発泡樹脂板の背面から多数の差込部（２）で風船の係止片を侠着する事を特徴とする風船取付板。
【請求項２】
適度な厚みの発泡樹脂板（１）に、多数の切込部（３）を設け、発泡樹脂板の略中心部に支柱を通す通孔（４）を設け、架台（７）の上面に案内筒（６）を設け、当該案内筒に支柱を通して、直径の異なる多数の発泡樹脂板の通孔を支柱に通し、垂直方向に風船を取付けた発泡樹脂板を重ねる事で、風船による多様な立体形状を特徴とする請求項１記載の風船取付板。
【請求項３】
直方体の発泡樹脂板（１２）の端部に切込部（３）と、もう一方の端部に係止部（５）を設け、更に、切込部（３１）の長手方向の端部に切込突起（３２）と、係止部を係合して固定する事を特徴とする風船取付板。
【発明の詳細な説明】
【技術分野】
【０００１】  本発明は、多数の風船を膨らませた状態で立体的に構築して、保管や展示できるようにした風船用の取付板に関するものである。
【背景技術】
【０００２】  スポーツ大会・販売促進会・各種展示会・各種イベント会場で、宣伝や広告の為に、来場する子供達に風船を配布する業者は、風船を膨らませる時間だけ来場者を待たせると言う問題があった。
何故なら、風船を膨らましてイベント会場等に運搬する業者は、風船自体が軽量であり、且つ体積が大きいので、大変効率の悪い移動作業であった。よって、当業者はヘリウムガスのボンベをイベント会場等に運搬して、現地で膨らませて、来場者に手渡すのが通常の作業であった。【０００３】  そこで、本発明者は、来場者が来る前に、膨らませた風船を積み上げて、来場者を待たせる事無く、次々と手渡しできるようにしょうと、考えたのである。
【発明が解決しょうとする課題】
【０００４】  当業者がイベント会場等で、風船を効率よく配布するには、膨らませた風船の取付けや、取外しを容易にする事は当然で有るが、イベント会場での設置や撤収が容易であり、また、膨らませた風船を美しく保管し、更に、ゴミ等を出さない事が必要な条件である。
【０００５】  本発明は、このような問題点を鑑みてなされたものであり、風船の取付け、取外しを容易にして、イベント会場での設置や撤収が容易であり、且つ、配布準備された風船を美しく整列させ、更に会場でゴミ等を出さない為の用具を提供する事である。
【課題を解決するための手段】
【０００６】  適度な厚みの発泡樹脂板（１）に、風船の係止片を多数の切込部（３）を通して、発泡樹脂板の背面から多数の差込部（２）で風船の係止片を侠着するものである。
【０００７】  適度な厚みの発泡樹脂板（１）に、多数の切込部（３）を設け、発泡樹脂板の略中心部に支柱を通す通孔（４）を設け、架台（７）の上面に案内筒（６）を設け、当該案内筒に支柱を通して、直径の異なる多数の発泡樹脂板の通孔を支柱に通し、垂直方向に風船を取付けた発泡樹脂板を重ねる事で、風船による多様な立体形状を容易に作り出す事ができるものである。
【０００８】  直方体の発泡樹脂板（１２）の端部に切込部（３）と、もう一方の端部に係止部（５）を設け、更に、切込部（３１）の長手方向の端部に切込突起（３２）と、係止部を係合して固定するものである。
【発明を実施するための最良の形態】
【０００９】  発泡樹脂板１は、円形又は偶数の板状形態が最良で有るが三角形・五角形・七角形・九角形であっても十分にその効果が達成できることは言うまでも無い事である。また、適度な厚みの発泡樹脂板１とは、２ｍｍ〜３０ｍｍ程度を意味するものである。【００１０】  また、発泡樹脂板に設けた多数の切込部３は、円形・四角形・五角形や、ハート形状や略Ｖ形状が好適な形態であり、多数の切込部とは、２個〜１００個程度の数量を意味するものである。【００１１】  差込部２の形態として、波形状や円弧状が好適な態様であり。また、多数の差込部２とは、２個〜１００個程度の数量を意味するものである。
【発明の効果】
【００１２】  イベント会場では混雑して、来場者の子供達に、風船を配布する場合に、風船を膨らませる時間のロスが有ったが、風船を膨らませて、複数の円弧状の切込部の弾性より簡単に着脱できるようになり、且つ、出来上がった風船が発泡樹脂板に並ぶので、任意形状の立体形状で、見上げる程の高さが感動を呼び、整然とした美しさを来場者に提供出来るようになった。
【００１３】  任意形状に高く積まれた風船を、来場者に順次手渡しても、最後には、発泡樹脂板だけが残るが、この発泡樹脂は軽いので、撤収作業がスマートに行なえ、更に、イベント会場をゴミ等で汚さない特長がある。
【００１４】  以下、図面を参照して、この発明の好適な実施例を例示的に詳しく説明する。ただし、この実施例に記載されている構成方法、構成装置、構成内容、構成部品、の寸法、材質、形状、その相対配置などは、特に特定的な記載がないかぎりは、この発明の範囲をそれらのみに限定する趣旨のものでなく単なる説明例にすぎない。
【実施例１】
【００１５】  図１で説明すると、縦幅５０ｃｍ、横幅７０ｃｍで、厚さは５ｍｍ〜３０ｍｍ程度の四角形の発泡樹脂板１であり、９６個のハート形の切込部３と、波形の差込部２を設けた物であり、風船の取付方法は、風船の係止片を切込部３から背面に通し、波形の差込部２で侠着するものである。この状態を図２で示した。
【実施例２】
【００１６】  図３で説明すると、円形の発泡樹脂板１の直径として、１２０ｃｍ・１００ｃｍ・８０ｃｍ・６０ｃｍ・２５ｃｍ程度の大きさで、厚さは１ｃｍ〜３ｃｍ程度が好適な寸法であり、略中央の通孔４と当該通孔の周縁に波形の差込部２と、半円形の切込部３を設けた物であり、直径２５ｃｍの発泡樹脂板では、５個程度の差込部２と切込部３を設けたものである。
風船の取付方法を図４で説明すると、膨らませた風船の紐を切込部３から背面に通し、波形の差込部２で風船の紐を風船の係止片を侠着するものである。
【実施例３】
【００１７】  図５の円形発泡樹脂板１の直径として、１２０ｃｍ・１００ｃｍ・８０ｃｍ・６０ｃｍ・２５ｃｍ程度の大きさで、厚さは１ｃｍ〜３ｃｍ程度が好適な寸法であり、略中央に円形の通孔４と、円弧状の切込部３を設けたものであり、直径１２０ｃｍの円形発泡樹脂板１では、長さ９ｃｍの円弧状の切込部３に８個程度設け、図６の場合では、直方体の発泡樹脂板１１を差し込むように示したのが、この円弧状の切込部３は、発泡樹脂板１の直径により異なり、直方体の発泡樹脂板１１、１２を差し込むようにして使用する。
【実施例４】
【００１８】  図７で説明すると、直方体の発泡樹脂板１１は、長さ６０ｃｍ程度、幅７ｃｍ程度であり、一方の端部を鋭角にした切込部３を設けてあり、もう一方の端部には、幅４ｃｍ程度で円弧状の切込部３を数個設けたものである。
図８は、円弧状の切込部３に長さ２０ｃｍ程度、幅３ｃｍ程度、厚さ６ｍｍ程度の直方体の発泡樹脂板１２を、円弧状の切込部３に差し込むことで、多数の枝を作り風船の取付け数を増すようにしたものである。尚、直方体の発泡樹脂板１１は、合成樹脂板を扇状にして、複数の円形の通孔を放射状に開け、切込部３の代用する事も好適な態様である。
【実施例５】
【００１９】  図９で説明すると、長さ２０ｃｍ程度、幅２５ｍｍ、厚さ６ｍｍの長方形の発泡樹脂板１２の端部に、円弧状の切込部３と、もう一方の端部には円形の係止部５を設け、切込突起３２を設けた切込部３１からなるものである。
次に、図１０で説明すると、切込部３１から突起３２から取り出して、切込部３１を折り曲げるようにして、円形の係止部５と突起３２と係合して、できた環を腕に取付ける事で、風船の口に取付けたステック（プラスチック製）を円弧状の切込部３に差し込むことで、順次風船を取り出して、来場者に手渡す事ができるものである。
【実施例６】
【００２０】  風船を取付けた発泡樹脂板１の組立を図１１で説明すると、これらの発泡樹脂板を支持する架台７は、直径６０ｃｍ〜１２０ｃｍ程度の円盤状の金属性で、中心部に直径３ｃｍ程度で、長さ３０ｃｍ程度の金属製の案内筒６を溶接し、支柱を案内筒６に差し込み使用する。
風船を取付けた多数の発泡樹脂板１を、順次通孔に通して積み上げた立体構造体にして、膨らませた風船を美しく保管や展示するものである。
【図面の簡単な説明】
【００２１】
【図１】本発明の実施例１の平面図である。
【図２】本発明の実施例１の説明図である。
【図３】本発明の実施例２の平面図である。
【図４】本発明の実施例２の平面図である。
【図５】本発明の実施例３の平面図である。
【図６】本発明の実施例３の説明図である。
【図７】本発明の実施例４の斜視図である。
【図８】本発明の実施例４の斜視図である。
【図９】本発明の実施例５の斜視図である。
【図１０】本発明の実施例５の斜視図である。
【図１１】本発明の架台の斜視図である。
【図１２】本発明の側面図である。
【符号の説明】
【００２２】１・・発泡樹脂板
２・・差込部
３・・切込部
４・・通孔
５・・係止部
６・・案内筒
７・・架台
１１・・発泡樹脂板
１２・・発泡樹脂板
３１・・切込部
３２・・切込突起
【図１】
2007319641.tif 000003
【図２】
2007319641.tif 000004
【図３】
2007319641.tif 000005
【図４】
2007319641.tif 000006
【図５】
2007319641.tif 000007
【図６】
2007319641.tif 000008
【図７】
2007319641.tif 000009
【図８】
2007319641.tif 000010
【図９】
2007319641.tif 000011
【図１０】
2007319641.tif 000012
【図１１】
2007319641.tif 000013
【図１２】
2007319641.tif 000014
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
直方体の発泡樹脂板（１２）の一方の端部に、風船が取付可能な切込部（３）を設け、他方の端部に係止部（５）を設け、更に、発泡樹脂板の略中央部に長手方向に延びる二本の切込からなる切込部（３１）を設け、前記切込部（３１）に連続して切込突起（３２）を設け、前記切込部（３１）を折り曲げることにより、前記切込突起（３２）が前記係止部（５）と係合して円形を構成することを特徴とする風船取付板。
【手続補正２】
【補正対象書類名】明細書
【補正対象項目名】０００８
【補正方法】変更
【補正の内容】
【０００８】  直方体の発泡樹脂板（１２）の一方の端部に、風船が取付可能な切込部（３）を設け、他方の端部に係止部（５）を設け、更に、発泡樹脂板の略中央部に長手方向に延びる二本の切込からなる切込部（３１）を設け、前記切込部（３１）に連続して切込突起（３２）を設け、前記切込部（３１）を折り曲げることにより、前記切込突起（３２）が前記係止部（５）と係合して円形を構成するものである。